(57)【要約】【課題】室外引き戸から外力を受けても取付板部が室内引き戸から容易に剥がれることがなく、しかも、ロック解錠操作を指一本のワンタッチ操作で行うことができる引き戸の補助ロック装置を提供する。【解決手段】室外引き戸２の室内側面に取り付け可能な取付板部４と、この取付板部４と重合する方向に付勢された状態で同取付板部４の一端部に基端部が枢着されたリンク部材５と、このリンク部材５の先端部に基端部が枢着されたロックプレート６と、このロックプレート６の先端部を着脱自在に掛止すべく取付板部４に設けられた掛止部７とを備えており、この掛止部７にロックプレート６の先端部を掛止させると、当該ロックプレート６が取付板部４に対して傾斜しかつリンク部材５が室内側に起立するロック状態となる引き戸の補助ロック装置において、ロックプレート６の基端部に、リンク部材５との枢着点１９よりも更に当該ロックプレート６の基端側に延びる延長部分２０を設ける。【選択図】　　　図１
2004108124.tif 000002
【特許請求の範囲】
【請求項１】
室外引き戸の室内側面に取り付け可能な取付板部と、この取付板部と重合する方向に付勢された状態で同取付板部の一端部に基端部が枢着されたリンク部材と、このリンク部材の先端部に基端部が枢着されたロックプレートと、このロックプレートの先端部を着脱自在に掛止すべく前記取付板部に設けられた掛止部とを備えており、この掛止部に前記ロックプレートの先端部を掛止させると、当該ロックプレートが前記取付板部に対して傾斜しかつ前記リンク部材が室内側に起立するロック状態となる引き戸の補助ロック装置において、
前記ロックプレートの基端部に、前記リンク部材との枢着点よりも更に当該ロックプレートの基端側に延びる延長部分が設けられていることを特徴とする引き戸の補助ロック装置。
【請求項２】
室内引き戸の縦枠に対する面取りされた当接縁を有する緩衝部材がロックプレートの延長部分の基端縁に設けられている請求項１に記載の補助ロック装置。
【発明の詳細な説明】
【発明の属する技術分野】
【０００１】
本発明は、本来の錠装置とは別に室内外の両引き戸を補助的にロックするのに適した、引き戸の補助ロック装置に関する。
【０００２】
【従来の技術】
例えば、建物の窓部や玄関を構成するアルミサッシは、戸枠に設けた内外二列のレールに室内外の引き戸を走行自在に設けることによって構成され、これらの両引き戸の施錠は、一般に、両引き戸を閉鎖したときに戸枠の中央で重なり合う縦枠同士をいわゆるクレセント錠で固定することによって行われる。
しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
【０００３】
かかる補助ロック装置の一例として、室外引き戸の室内側面に取り付け可能な取付板部と、この取付板部と重合する方向に付勢された状態で同取付板部の一端部に基端部が枢着されたリンク部材と、このリンク部材の先端部に基端部が枢着されたロックプレートと、このロックプレートの先端部を着脱自在に掛止すべく前記取付板部に設けられた掛止部とを備えたものが知られている。この従来の補助ロック装置は、室外引き戸の室内側面に取付板部を貼り付けることによって使用される。
【０００４】
そして、取付板部の掛止部にロックプレートの先端部を掛止させると、ロックプレートが前記取付板部に対して傾斜しかつリンク部材の先端部が室内側に起立するロック状態となり、この室内側に起立したリンク部材の先端部で室内引き戸の開き方向への走行を妨げることにより、両引き戸がロックされるようになっている。
他方、取付板部の掛止部からロックプレートの先端部を取り外すと、ロックプレートとリンク部材がともに取付板部に重合するアンロック状態となり、室内引き戸の開き方向への走行が許容されて、両引き戸のロックが解除されるようになっている（例えば、特許文献１参照）。
【０００５】
【特許文献１】
実開昭４８−１１１５９７号公報
【０００６】
【発明が解決しようとする課題】
上記従来の補助ロック装置では、ロック状態においては、リンク部材が取付板部に対してほぼ垂直な状態で室内側に起立するようになっているので、かかるリンク部材に室内引き戸の縦枠が衝突すると、その室内引き戸からの外力は開き方向に沿った方向で取付板部に作用することになる。
このため、特に、取付板部を両面テープや接着剤等の接着手段のみによって室外引き戸の室内側面に貼り付けている場合には、リンク部材が室外引き戸から受けた力が取付板部を室内引き戸の室内側面に沿ってせん断する力として作用してしまい、取付板部が早期に室内引き戸から剥がれてしまう場合があった。
【０００７】
一方、従来の補助ロック装置では、ロックプレートを掛止部に掛止するロック操作の場合には、当該ロックプレートの先端部を例えば人差し指で基端側に向かって押し込むことによって、指一本のワンタッチ操作で行うことができるようになっている。しかし、ロックプレートを掛止部から取り外すロック解除操作の場合には、当該ロックプレートを二本の指で摘んで先端部を手前に引き込む必要があり、指一本のワンタッチ操作で行うことができなかった。
【０００８】
そこで、本発明の課題は、室外引き戸から外力を受けても取付板部が室内引き戸から容易に剥がれることがなく、しかも、ロック解錠操作を指一本のワンタッチ操作で行うことができる引き戸の補助ロック装置を提供する点にある。
【０００９】
【課題を解決するための手段】
本発明は、上記課題を解決するために次の解決手段を採用した。
即ち、本発明は、前記した従来の補助ロック装置において、ロックプレートの基端部に、リンク部材との枢着点よりも更に当該ロックプレートの基端側に延びる延長部分が設けられていることを特徴とするものである。
また、本発明は、上記課題をより確実に解決するための構成として、室内引き戸の縦枠に対する面取りされた当接縁を有する緩衝部材を上記ロックプレートの延長部分の基端縁に設けることを推奨する。
【００１０】
【作用】
本発明に係る補助ロック装置では、リンク部材との枢着点よりも更に当該ロックプレートの基端側に延びる延長部分がロックプレートの基端部に設けられているので、取付板部の掛止部にロックプレートの先端部を掛止してロック状態にすると、当該リンク部材ではなくロックプレートの延長部分によって室内引き戸の開き方向への走行が妨げられる。
【００１１】
このさい、ロックプレートの延長部分は室内引き戸の走行方向に対して傾斜した状態で室内側に突出するので、かかる延長部分に室内引き戸の縦枠が衝突すると、その室内引き戸からの外力は延長部分の延長方向に沿って取付部材に対して斜めに作用することになる。
このため、ロックプレートの延長部分が室外引き戸の縦枠から受けた力は、取付板部を室内引き戸の室内側面に沿ってせん断する力としてだけでなく、取付板部を室外引き戸側に押圧する力としても作用し、取付板部が室内引き戸から剥がれ難くなる。
【００１２】
一方、本発明では、ロックプレートの延長部分がリンク部材との枢着点よりも更に当該ロックプレートの基端側に延びているので、ロックプレートの延長部分を例えば人差し指で基端側に押し込むと、同プレートの先端部が掛止部から外れた時点でその先端部が手前に跳ね上がるようにロックプレートが自動的にリンク部材との枢着点回りに回動する。このため、ロックプレートの延長部分を基端側に押すだけで、同プレートの先端部を取付板部の掛止部から取り外すことができる。
【００１３】
また、本発明において、室内引き戸の縦枠に対する面取りされた当接縁を有する緩衝部材をロックプレートの延長部分の基端縁に設けておけば、ロックプレートの延長部分によって室内引き戸の開き方向への走行を阻止するようにしたことに伴う、当該室内引き戸の縦枠の損傷を防止することができる。
【００１４】
【実施例】
以下、図面に基づいて本発明の実施例を説明する。
図１に示すように、本実施例の補助ロック装置１は、室外引き戸２と室内引き戸３とを有するサッシ等の引き戸装置を、クレセント錠とは別個に補助的にロックするためのものであり、例えば、室外引き戸２の室内側ガラス面に貼り付けることによって使用される。
【００１５】
図１〜図３に示すように、本実施例の補助ロック装置１は、室外引き戸２の室内側面に取り付け可能な取付板部４と、この取付板部４と重合する方向に付勢された状態で同取付板部４の一端部（図１の右側端部）に基端部が枢着されたリンク部材５と、このリンク部材５の先端部に基端部が枢着されたロックプレート６と、このロックプレート６の先端部を着脱自在に掛止すべく取付板部４に設けられた掛止部７と、を備えている。
【００１６】
図２及び図３に示すように、取付板部４は、先端縁（図２の左側縁）が半円形状に形成されたステンレス鋼製の横長板材よりなり、この取付板部４の幅方向両縁部には、同縁部をほぼ直角に屈曲してなる外側フランジ８が形成されている。また、取付板部４の先端部には前記掛止部７が切り起こし形成され、この掛止部７は、その先端が取付板部４の基端側（図１の右側）でかつ室内側（図１の下側）に向くように、当該取付板部４に対して傾斜した状態で屈曲されている（図１参照）。
なお、この掛止部７の左右両側には、取付板部４をねじ止めする場合に使用する止めねじ用のねじ孔９が形成されている。
【００１７】
図３に示すように、リンク部材５は、筒状に屈曲形成された第一挿通部１１を基端部に有し、かつ、筒状に屈曲形成された第二挿通部１２を先端部に有するステンレス鋼製の短尺板材よりなる。他方、取付板部の基端部（図１の右側端部）には、その基端縁を筒状に屈曲形成してなる第一軸受け部１３が形成されている。そして、この第一軸受け部１３に前記第一挿通部１１を同軸心状に位置あわせした状態で、両者に第一枢着軸１４を挿通することにより、リンク部材５の基端部が取付板部４の基端部に回動自在に枢着されている。
【００１８】
上記第一枢着軸１４の軸方向中央部には、リンク部材５の付勢手段として機能する巻きばね１５が設けられている。この巻きばね１５の一方の脚部は取付板部４の裏面側に当接し、かつ、同巻きばね１５の他方の脚部はリンク部材５の背面側に当接しており、これにより、リンク部材５が常に取付板部４に重合する方向に付勢されている。
リンク部材５の先端部には前記ロックプレート６が枢着されている。このロックプレート６は、先端縁（図２の左側縁）が半円形状に形成されたステンレス鋼製の横長板材よりなり、このロックプレート６の幅方向両縁部には、同縁部を前記取付板部４の外側フランジ８とは反対方向に屈曲してなる内側フランジ１６が形成されている。
【００１９】
ロックプレート６の内面側（室外側）には、筒状に屈曲形成された第二軸受け部１７を有するヒンジプレート１８（図１及び図２（ｂ）参照）が固定されている。そして、この第二軸受け部１７にリンク部材５の前記第二挿通部１２を同軸心状に位置あわせした状態にして、両者に第二枢着軸１９を挿通することにより、ロックプレート６の基端部がリンク部材５の先端部に回動自在に枢着されている。
【００２０】
本実施例では、第二枢着軸１９を支承する第二軸受け部１７がロックプレート６の中央部からやや基端側よりに配置されていて、これにより、ロックプレート６の基端部に、リンク部材５との枢着点である第二枢着軸１９よりも更に当該ロックプレート６の基端側（図１の右側）に向かって延びる延長部分２０が設けられている。
また、この延長部分２０の基端縁には、ゴム又はプラスチック製の緩衝部材２１が設けられている。この緩衝部材２１における室内引き戸３の縦枠３Ａに対する当接縁は湾曲状に面取りされた状態に形成されており、これにより、室内引き戸３の縦枠３Ａが延長部分２０によってロックされた場合でも、同縦枠３Ａに極力損傷が発生しないようになっている。
【００２１】
更に、図１に実線で示すアンロック状態においては、ロックプレート６の延長部分２０はリンク部材５と重なり合うようになっている。このため、本実施例においては、ロックプレート６の延長部分２０は、同プレート６の内面とリンク部材５の内面のなす角度θ（図１参照）が１８０度を超えるのを規制する規制部材２２としての機能をも併有していることになる。
【００２２】
図２及び図３に示すように、ロックプレート６は、取付板部４よりも若干小さい幅寸法に形成されている。このため、両プレート４，６が互いに重合するアンロック状態においては、ロックプレート６の内側フランジ１６が取付板部４の外側フランジ８の幅方向内側に隠れた状態になる。
また、本実施例では、ロックプレート６とリンク部材５がともに取付板部４に重合するアンロック状態（図１の実線状態）においては、取付板部４とロックプレート６の先端縁同士が互いにほぼ対応し、かつ、延長部分２０が取付板部４の基端縁から外側へ飛び出すように、各枢着軸１４，１９の配設位置が設定されている。
【００２３】
更に、本実施例では、掛止部７に引っ掛かけられたロックプレート６が取付板部４に対して傾斜しかつリンク部材５の先端部が室内側に起立するロック状態（図１の仮想線状態）においては、リンク部材５と取付板部４とが互いにほぼ直交する二辺となりかつロックプレート６が斜辺となる直角三角形が形成されるように、掛止部７の取付板部４に対する長手方向位置が設定されている。
なお、図２（ｂ）に示すように、ロックプレート６の先端部には、滑り止め用の凹みよりなる押圧部１０が形成されている。
【００２４】
次に、上記構成に係る補助ロック装置１の使用方法と作用を説明する。
まず、本実施例の補助ロック装置１は、図１に示すように、室外引き戸２の室内側面（ガラス面でも横枠の側面でもどちらでもよい。）に取付板部４を両面テープ等で貼り付けることによって取り付けられる。
かかる補助ロック装置１で両引き戸２，３をロックするには、ロックプレート６の先端部に設けた押圧部１０を図１に矢印Ａで示すように基端側に向かって斜めに押し込むことにより、当該プレート６を徐々に傾斜させて行き、取付板部４の掛止部７にロックプレート６の先端を掛止させるようにすればよい。
【００２５】
すると、図１に仮想線で示すように、ロックプレート６が取付板部４に対して傾斜し、かつ、リンク部材５の先端部が室内側に直交状に起立するロック状態となり、かかるロック状態となったロックプレート６の延長部分２０で室内引き戸３の開き方向への走行を妨げることにより、両引き戸２，３がロックされる。
他方、上記のロックを解除するには、ロックプレート６の延長部分２０を図１に矢印Ｂで示すように基端側に向かって斜めに押し込むようにすればよい。
【００２６】
すると、ロックプレート６の先端部が掛止部７から外れた時点でその先端部が手前に跳ね上がるようにロックプレート６が自動的に第二枢着軸１９回りに回動するので、同プレート６の先端部を指一本のワンタッチ操作で取付板部４の掛止部７から取り外すことができる。
その後、第一枢着軸１４に設けた巻きばね１５の付勢力によって、リンク部材５とロックプレート６がともに取付板部４に重合する方向に回動してアンロック状態となり、室内引き戸３の開き方向への走行が許容されて、両引き戸２，３のロックが解除される。
【００２７】
このさい、本実施例の補助ロック装置１によれば、ロックプレート６の延長部分２０が室内引き戸３の走行方向に対して傾斜した状態で室内側に突出しているので、かかる延長部分２０に室内引き戸３の縦枠３Ａが衝突した場合に、ロックプレート６の延長部分２０が室外引き戸３の縦枠３Ａから受ける力は、取付板部４を室内引き戸３の室内側面に沿ってせん断する力としてだけでなく、取付板部４を室外引き戸２側に押圧する力としても作用することになり、このため、取付板部４が室内引き戸３から剥がれ難くなる。
【００２８】
また、本実施例では、前述の通り、ロックプレート６の延長部分２０を例えば人差し指で基端側に押し込むだけで、同プレート６の先端部を取付板部４の掛止部７から取り外すことができるので、ロック操作だけでなくロック解錠操作についても指一本のワンタッチ操作で行うことができ、補助ロック装置１の取り扱いがより簡便になる。
更に、　本実施例では、ロックプレート６の内面とリンク部材５の内面のなす角度θが１８０度を超えないように規制部材２２（延長部分２０）によって規制されているので、アンロック状態になっているロックプレート６をその先端部が取付板部４から離れる方向に回動させるには、当該プレート６だけでなくリンク部材５をその付勢力と対抗する方向に回動する必要がある。
【００２９】
このため、リンク部材５の付勢力によってロックプレート６の先端部が取付板部４に重合する方向に押し付けられることになり、ロックプレート６専用の付勢手段を設けなくても同プレート６を取付板部４に重合させることができるので、当該補助ロック装置１の製造コストを低減することができる。
【００３０】
なお、本発明は上記実施例に限定されるものではない。
例えば、上記実施例において、第二枢着軸１９に巻きばねを設けたり、取付板部４にロックプレート６を吸着する磁石プレートを設けて、ロックプレート６専用の付勢手段を採用することにしてもよい。
【００３１】
【発明の効果】
本発明によれば、室外引き戸からの外力がロックプレートの延長部分に沿って取付板部に対して斜めに作用するので、取付板部が室内引き戸から剥がれ難くなるとともに、ロックプレートの延長部分を基端側に押すだけで同プレートの先端部分を取付板部の掛止部から取り外すことができるので、ロック解錠操作を指一本のワンタッチ操作で行うことができる。
【図面の簡単な説明】
【図１】本発明に係る補助ロック装置の平面断面図である。
【図２】（ａ）は同補助ロック装置の平面図であり、（ｂ）は同補助ロック装置の正面図である。
【図３】同補助ロック装置の斜視図である。
【符号の説明】
１　　　補助ロック装置
２　　　室外引き戸
３　　　室内引き戸
４　　　取付板部
５　　　リンク部材
６　　　ロックプレート
７　　　掛止部
１４　　　第一枢着軸
１９　　　第二枢着軸
２０　　　延長部分
２１　　　緩衝部材
【図１】
2004108124.tif 000003
【図２】
2004108124.tif 000004
【図３】
2004108124.tif 000005